(57)【要約】【課題】  本発明は、待機中の漏洩電力を巧みに使用して、地震等の振動を検出した場合、漏水検出部に電源を供給し、また、所定時間に漏水検出部に電源を接続して漏水を検出した場合、ポンプを動作させて、排水を行なうことができる省エネルギーな食器洗浄乾燥装置に関するものである。【解決手段】  本発明は、電源トランスをスイッチング素子により断続する通常電源を基にして、洗浄運転、すすぎ運転、乾燥運転をシーケンス制御により処理を行なっている。また、本発明は、運転停止状態で動作する監視用電源を備えている。本発明の食器洗浄乾燥装置における振動検出部および制御回路は、運転停止状態で、前記監視用電源により常時動作して、振動を検出している。本発明の漏水検出部は、前記食器洗浄乾燥装置の運転停止後所定時間経過した場合、および前記振動検出部によって振動を検出した場合に、前記通常電源が投入されて、漏水を検出することができる。【選択図】  図１
2007007156.tif 000002
【特許請求の範囲】
【請求項１】
通常電源を基にして、洗浄運転、すすぎ運転、乾燥運転をシーケンス制御により処理することができる食器洗浄乾燥装置において、
前記食器洗浄乾燥装置の運転停止状態で動作する監視用電源と、
前記食器洗浄乾燥装置の運転停止状態で、前記監視用電源により動作して、振動を検出する振動検出部と、
前記食器洗浄乾燥装置の運転停止後所定時間経過した場合、および前記振動検出部によって振動を検出した場合に、前記通常電源を投入して、漏水を検出する漏水検出部と、
前記漏水検出部により検出された漏水を排水するポンプと、
を少なくとも備えていることを特徴とする食器洗浄乾燥装置。
【請求項２】
通常電源を基にして、洗浄運転、すすぎ運転、乾燥運転をシーケンス制御により処理することができる食器洗浄乾燥装置において、
前記食器洗浄乾燥装置の運転停止状態で動作する監視用電源と、
前記食器洗浄乾燥装置の運転停止状態で、前記監視用電源により動作して、振動を検出する振動検出部と、
前記食器洗浄乾燥装置の運転停止後一定時間経過した場合、前記一定時間が経過した後、さらに、所定時間経過した場合、および前記振動検出部によって振動を検出した場合に、前記通常電源を投入して、漏水を検出する漏水検出部と、
前記漏水検出部により検出された漏水を排水するポンプと、
を少なくとも備えていることを特徴とする食器洗浄乾燥装置。
【請求項３】
前記漏水検出部は、所定時間毎に通常電源を入れて漏水を検出していることを特徴とする請求項１に記載された食器洗浄乾燥装置。
【請求項４】
前記漏水検出部は、前記通常電源の三次巻線から電源が供給されることを特徴とする請求項１から請求項３のいずれか１項に記載された食器洗浄乾燥装置。
【請求項５】
前記監視用電源は、前記食器洗浄乾燥装置の運転停止中における漏洩電力を電解コンデンサーに充電することにより生成されることを特徴とする請求項１から請求項４のいずれか１項に記載された食器洗浄乾燥装置。
【発明の詳細な説明】
【技術分野】
【０００１】
本発明は、食器等を洗浄、すすぎ、あるいは乾燥をシーケンス制御により処理する食器洗浄乾燥装置に関するものである。特に、本発明は、待機中の漏洩電力を巧みに使用して、地震等の振動を検出して漏水検出部に電源を供給し、また、食器洗浄乾燥装置の乾燥終了後、所定時間後に漏水検出部に電源を供給し、漏水を検出した場合、ポンプを動作させて、排水を行なうことができる省エネルギーな食器洗浄乾燥装置に関するものである。
【背景技術】
【０００２】
食器洗浄乾燥装置の洗浄庫内に収納された食器等は、設定された温度の水および空気中で自動的に洗浄、すすぎ、乾燥が行われる。このような食器洗浄乾燥装置は、既に、種々の機種が市場に供給されている。そして、前記食器洗浄乾燥装置は、他機種との差別化を図るための一つの工夫として、現状の機種より少しでも安定した洗浄能力を発揮するだけでなく、高効率あるいは環境の改善が望まれている。
【０００３】
たとえば、特開２００４−３２９５４５号公報における食器洗浄乾燥装置は、停電後、運転制御手段が停電検出手段によって停電状態が復帰したか否かを検出する。また、前記運転制御手段は、温度検出手段によって食器洗浄庫内の水および空気の温度がほぼ設定温度であるか否かを検出する。前記食器洗浄庫内の水および空気の温度が設定状態である場合、前記運転制御手段は、運転状態記憶手段から停電状態直前の運転状態を読み出し、そのまま運転状態を継続するように制御している。前記食器洗浄乾燥装置は、停電後、庫内の温度が設定状態であるにもかかわらず、最初から運転制御をやり直すといった非効率な運転を行わないため、従来のものと比較して、効率が向上している。
【特許文献１】特開２００４−３２９５４５号公報
【発明の開示】
【発明が解決しようとする課題】
【０００４】
前記従来の食器洗浄乾燥装置は、水を庫内に入れ、動作することから洗浄庫の下部に設けられた漏水検出手段により、庫内からの漏水を常に監視し、漏水に対する備えを行なっていた。前記食器洗浄乾燥装置は、もし、漏水を検出した場合、一早く庫内の水を排水ポンプで排水し、食器洗浄乾燥装置から床面への漏水を防止するようにしていた。
【０００５】
前記食器洗浄乾燥装置は、運転停止状態であっても、水を通水、停止する水弁の故障、あるいは地震等の振動による機構部損傷等による漏水を排水ポンプを稼働して、床面への漏水を防止するようにしていた。
【０００６】
しかし、前記食器洗浄乾燥装置は、待機中であっても、電源トランスを有しているため、その一次側回路に電流が常に流れており、待機電力が消費されていた。前記待機電力は、食器洗浄乾燥装置を使用していない場合であっても、商用電源をコンセントから抜かない限り発生するという問題があった。また、前記食器洗浄乾燥装置は、コンセントを抜いてしまうと、待機中における漏水監視機能を失うことになり、待機電力を低減することが困難であった。
【０００７】
本発明は、以上のような問題を解決するためのものであり、食器洗浄乾燥装置の処理が終了してから所定時間経過後に電源を投入し、漏水検出部により漏水を検出した場合、および振動検出を待機電力によって動作させ、振動を検出した後、電源を投入し、漏水検出部により漏水を検出した場合、ポンプを動作させて漏水を排水する食器洗浄乾燥装置を提供することを目的とする。
【課題を解決するための手段】
【０００８】
（第１発明）
第１発明の食器洗浄乾燥装置は、通常電源を基にして、洗浄運転、すすぎ運転、乾燥運転をシーケンス制御により処理することができるものであり、前記食器洗浄乾燥装置の運転停止状態で動作する監視用電源と、前記食器洗浄乾燥装置の運転停止状態で、前記監視用電源により動作して、振動を検出する振動検出部と、前記食器洗浄乾燥装置の運転停止後所定時間経過した場合、および前記振動検出部によって振動を検出した場合に、前記通常電源を投入して、漏水を検出する漏水検出部と、前記漏水検出部により検出された漏水を排水するポンプとを少なくとも備えていることを特徴とする。
【０００９】
（第２発明）
第２発明の食器洗浄乾燥装置は、通常電源を基にして、洗浄運転、すすぎ運転、乾燥運転をシーケンス制御により処理することができるものであり、前記食器洗浄乾燥装置の運転停止状態で動作する監視用電源と、前記食器洗浄乾燥装置の運転停止状態で、前記監視用電源により動作して、振動を検出する振動検出部と、前記食器洗浄乾燥装置の運転停止後一定時間経過した場合、前記一定時間が経過した後の所定時間経過した場合、および前記振動検出部によって振動を検出した場合に、前記通常電源を投入して、漏水を検出する漏水検出部と、前記漏水検出部により検出された漏水を排水するポンプとを少なくとも備えていることを特徴とする。
【００１０】
（第３発明）
第３発明の食器洗浄乾燥装置において、第１発明の漏水検出部は、所定時間毎に通常電源を入れて漏水を検出していることを特徴とする。
【００１１】
（第４発明）
第４発明の食器洗浄乾燥装置において、第１発明から第３発明の前記漏水検出部は、前記通常電源の三次巻線から電源が供給されることを特徴とする。
【００１２】
（第５発明）
第５発明の食器洗浄乾燥装置において、第１発明から第４発明の監視用電源は、前記食器洗浄乾燥装置の運転停止中における漏洩電力を電解コンデンサーに充電することにより生成されることを特徴とする。
【発明の効果】
【００１３】
本発明によれば、食器洗浄乾燥装置の処理が終了してから所定時間後に漏水検出部の電源を投入して漏水を検出し、また、待機電力の電源のみで振動検出部の電源としているため、待機電力の低減を著しく図ることができた。
【００１４】
本発明によれば、食器洗浄乾燥装置の処理が終了してから一定時間継続して電源を投入し、漏水検出部により漏水を検出し、その後に所定時間後に電源を投入し、漏水を検出し、また、待機電力の電源のみで振動検出部の電源としているため、待機電力の低減を著しく図ることができた。
【００１５】
本発明によれば、振動検出部および制御回路の電源のみを運転停止状態で動作する監視用電源としているため、待機電力の低減を著しく図ることができた。
【００１６】
本発明によれば、振動検出部により振動を検出した場合、電源トランスのスイッチをオンして、漏水検出部を動作させる専用のタップから電源を得ているため、待機電力の低減と同時に、漏水検出に使用される電力も低減される。
【発明を実施するための最良の形態】
【００１７】
（第１発明）
第１発明の食器洗浄乾燥装置は、電源トランスをスイッチング素子により断続する通常電源を基にして、洗浄運転、すすぎ運転、乾燥運転をシーケンス制御により処理を行なっている。また、前記食器洗浄乾燥装置は、運転停止状態で動作する監視用電源を備えている。前記食器洗浄乾燥装置における振動検出部および制御回路は、前記食器洗浄乾燥装置の運転停止状態で、前記監視用電源により常時動作して、振動を検出している。本発明でいう「運転停止状態」は、食器洗浄乾燥装置の起動スイッチをオフにした場合である。
【００１８】
漏水検出部は、前記食器洗浄乾燥装置の運転停止後所定時間経過した場合、および前記振動検出部によって振動を検出した場合に、前記通常電源が投入（起  動スイッチオン）されて、漏水を検出することができる。ポンプは、前記漏水検出部により漏水が検出された場合、前記漏水を排水する。第１発明の食器洗浄乾燥装置は、待機中の電力を使用することができる監視用電源により、振動検出部により振動を検出し、漏水検出部を動作させる通常電源を投入することができるので、省エネルギーである。
【００１９】
（第２発明）
第２発明の食器洗浄乾燥装置は、漏水検出部が前記食器洗浄乾燥装置の運転停止後一定時間、前記一定時間が経過した後の所定時間、および前記振動検出部によって振動を検出した場合に、前記通常電源を投入して、漏水を検出している点で第１発明と異なっている。すなわち、前記漏水検出部は、食器の乾燥が終了した後、一定時間継続して通常電源を投入して漏水を検出する。その後、前記漏水検出部は、一定時間が経過、たとえば、１時間、３時間、５時間、半日、１日といった時間、および振動検出部が振動を検出した場合に漏水を検出する。前記漏水検出部は、食器の乾燥後に連続し、時間が経過するごとに間隔を長くするようにプログラムされている。
【００２０】
（第３発明）
第３発明の食器洗浄乾燥装置において、第１発明の漏水検出部は、食器乾燥終了後、所定時間毎に通常電源を入れて漏水を検出している。前記食器洗浄乾燥装置は、水弁、機構部品の損傷等による漏水を、たとえば、数時間毎に検出し、床面への漏水を防止できる。
【００２１】
（第４発明）
第４発明の食器洗浄乾燥装置において、第１発明から第３発明の漏水検出部は、通常電源の三次巻線から電源が供給されているため、不必要な電力を使用することなく、省エネルギーである。
【００２２】
（第５発明）
第５発明の食器洗浄乾燥装置において、第１発明から第４発明の監視用電源は、前記食器洗浄乾燥装置の運転停止中における漏洩電力を電解コンデンサーに充電し、前記電解コンデンサーに充電された電力を制御部および振動検出部の電源としているため、特別な電力を必要としない。
【実施例】
【００２３】
図１は本発明の食器洗浄乾燥装置の概念を説明するためのブロック構成図である。図１において、本発明の食器洗浄乾燥装置は、通常の食器洗浄乾燥を行なう部分と、漏水を検出する部分とから構成されている。食器洗浄乾燥を行なう部分は、食器洗浄乾燥装置の起動スイッチ１１１と、前記起動スイッチ１１１によって食器洗浄乾燥装置を制御する制御回路１１２と、前記制御回路１１２によって制御される加熱手段１１５と、前記加熱手段１１５によって温度が制御されるタンク１１６と、前記タンク１１６内の温度を検出する温度検出手段１１７と、前記所定の温度、あるいは食器の洗浄処理等を設定する設定手段１１３と、前記設定手段１１３の設定にしたがったシーケンスにより処理を行なうためのシーケンス回路１１４と、前記シーケンス回路１１４にしたがって処理を行なう洗浄手段１１８と、すすぎ手段１１９と、乾燥手段１２０とから少なくとも構成されている。
【００２４】
漏水を検出する部分は、前記制御回路１１２の制御の基に起動スイッチ１１１の状態から運転状態であるか否かを検出する運転状態検出手段１２１と、洗浄処理の終了後一定時間を計るタイマ１２２と、前記タイマ１２２による所定時間が経過後、電源トランスの三次巻線側（漏水検出部の専用電源）に接続する電源接続部１２３と、電源に接続された漏水検出部１２４と、前記漏水を検出したことにより、ポンプを駆動するポンプ駆動手段１２５と、前記ポンプ駆動手段１２５により駆動されるポンプ１２６と、前記制御回路１１２の待機中の電源となる監視用電源１２８と、前記監視用電源１２８により動作する振動検出部１２９と、運転状態検出手段１２１によって、待機状態において、振動検出部１２９で振動が検出された場合、電源を漏水検出部１２４に接続する電源接続部１２３と、必要に応じて、設けられる待機状態および振動発生状態における漏水を報知する警報装置１２７とから構成される。
【００２５】
図２は本発明の食器洗浄乾燥装置の動作を説明するためのフローチャートである。次に、本発明の食器洗浄乾燥装置を、図１のブロック構成図および図２のフローチャートを用いて説明する。ユーザは、洗浄庫（図示されていない）内に食器類（図示されていない）を挿入する（ステップ２１１）。次に、起動スイッチ１１１は、オンされることにより、制御回路１１２の基に洗浄が開始される（ステップ２１２）。
【００２６】
前記制御回路１１２は、設定手段１１３の設定により、シーケンス回路１１４を制御している。前記シーケンス回路１１４は、制御回路１１２の制御を基に、洗浄手段１１８、すすぎ手段１１９、乾燥手段１２０に対して、決められた順序と所定の時間によってシーケンス制御を行う。
【００２７】
前記運転状態検出手段１２１は、制御回路１１２およびシーケンス回路１１４を基に、洗浄手段１１８、すすぎ手段１１９が終了したか否かを調べる（ステップ２１３）。前記運転状態検出手段１２１は、制御回路１１２およびシーケンス回路１１４の制御を基に、洗浄およびすすぎ工程が終了していないと判断した場合、洗浄およびすすぎ工程を続け、洗浄およびすすぎ工程が終了したと判断した場合、乾燥工程が終了したか否かを調べる（ステップ２１４）。
【００２８】
前記運転状態検出手段１２１は、制御回路１１２およびシーケンス回路１１４の制御を基に、乾燥工程が終了していないと判断した場合、乾燥を続け、乾燥工程が終了したと判断した場合、タイマ１２２により、所定時間が経過したか否かを調べる（ステップ２１５）。前記運転状態検出手段１２１は、制御回路１１２の制御およびタイマ１２２を基に、所定時間が経過しないと判断した場合、前記タイマ１２２により時間を計測し、所定時間が経過したと判断した場合、電源接続部１２３により電源をオンにする（ステップ２１６）。
【００２９】
前記電源接続部１２３は、漏水検出部１２４に接続され、漏水があるか否かを判断する（ステップ２１７）。前記制御回路１１２は、漏水検出部１２４に漏水が検出されないと判断した場合、漏水の検出を続け、漏水が検出されたと判断した場合（ステップ２１８）、ポンプ駆動手段１２５によりポンプ１２６を駆動させて、漏水を排水する（ステップ２１９）。
【００３０】
前記運転状態検出手段１２１は、ステップ２１４において、制御回路１１２およびシーケンス回路１１４の制御を基に、乾燥工程が終了したと判断した場合、監視用電源１２８により、振動の有無を検出する（ステップ２２０）。前記制御回路１１２は、振動検出部１２９により、振動の検出がないと判断した場合、振動の検出を継続し、振動が検出されたと判断した場合、ステップ２１６により、電源をオンにする（ステップ２１６）。以後の処理は、ステップ２１６からステップ２１９と同じである。また、漏水を排水するためのポンプを駆動すると同時に、警報装置１２７は、漏水または振動の有無を警報することができる（ステップ２２２）。
【００３１】
図３は食器洗浄乾燥装置における本発明の具体的な回路図を説明するための図である。図３において、商用電源３１は、ヒータ用スイッチング回路３１１、ポンプ用スイッチング回路３１２、および主電源用スイッチング回路３１３を介して電源トランス３１４の一次巻線に接続されている。前記ヒータ用スイッチング回路３１１、ポンプ用スイッチング回路３１２、および主電源用スイッチング回路３１３は、後述する制御回路３６からの制御信号によりヒータ３２、ポンプ３３、および電源トランス３１４を動作させる。
【００３２】
前記電源トランス３１４は、二次巻線側に第１平滑回路３１５が形成されており、三次巻線側に第２平滑回路３１６が形成されている。前記第１平滑回路３１５には、制御回路３６へ制御信号を送る送信回路３４１と、第２起動スイッチ３５１を起動する起動回路３５とが接続されている。前記三次巻線側の第２平滑回路３１６には、漏水を検出する漏水検出部３４と、前記漏水を検出した信号を前記送信回路３４１に送る漏水検出スイッチ３５２とが設けられている。
【００３３】
前記制御回路３６は、第１起動スイッチ３６１により起動し、ヒータ用スイッチング回路３１１、ポンプ用スイッチング回路３１２、主電源用スイッチング回路３１３、送信回路３４１、起動回路３５等に対して制御信号の送受信を行なう。また、前記制御回路３６は、商用電源３１に接続されたコンデンサー３６３、第３平滑回路３６４、漏水電力蓄積回路３６２により、待機中であっても動作する。さらに、振動検出部３７は、待機中であっても、前記制御回路３６によって検出することができる。
【００３４】
漏水検出部３４を動作させる時間を決定するタイマ１２２等は、制御回路３６に内蔵されている。また、前記制御回路３６は、漏水検出のタイミングを代えることが任意にできる。たとえば、漏水検出は、乾燥後所定時間継続した後、予め決められた時間間隔で行なうことができる。さらに、前記時間間隔は、一定時間でなく、最初短い間隔からその時間が経過する毎に、間隔を長くすることができる。
【００３５】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、図１におけるブロック構成図は、公知または周知の技術を使用して容易に構成できる。また、本発明の食器洗浄乾燥装置に使用されるポンプと排水ポンプとは同じものを使用することができる。
【図面の簡単な説明】
【００３６】
【図１】本発明の食器洗浄乾燥装置の概念を説明するためのブロック構成図である。（実施例１）
【図２】本発明の食器洗浄乾燥装置の動作を説明するためのフローチャートである。
【図３】食器洗浄乾燥装置における本発明の具体的な回路図を説明するための図である。
【符号の説明】
【００３７】
１１１・・・起動スイッチ
１１２・・・制御回路
１１３・・・設定手段
１１４・・・シーケンス回路
１１５・・・加熱手段
１１６・・・タンク
１１７・・・温度検出手段
１１８・・・洗浄手段
１１９・・・すすぎ手段
１２０・・・乾燥手段
１２１・・・運転状態検出手段
１２２・・・タイマ
１２３・・・電源接続部
１２４・・・漏水検出部
１２５・・・ポンプ駆動手段
１２６・・・ポンプ
１２７・・・警報装置
１２８・・・監視用電源
１２９・・・振動検出部
３１・・・商用電源
３１１・・・ヒータ用スイッチング回路
３１２・・・ポンプ用スイッチング回路
３１３・・・主電源用スイッチング回路
３１４・・・電源トランス
３１５・・・第１平滑回路
３１６・・・第２平滑回路
３２・・・ヒータ
３３・・・ポンプ
３４・・・漏水検出部
３４１・・・送信回路
３５・・・起動回路
３５１・・・第２起動スイッチ
３５２・・・漏水検出スイッチ
３６・・・制御回路
３６１・・・第１起動スイッチ
３６２・・・漏水電力蓄積回路
３６３・・・コンデンサー
３６４・・・第３平滑回路
３７・・・振動検出部
【図１】
2007007156.tif 000003
【図２】
2007007156.tif 000004
【図３】
2007007156.tif 000005